(57)【要約】【課題】利用価値のなかったデッドスペースを有効に使うことができ、かつ利便性に富むことを可能とする立体格納庫及びその使用方法を提供する。【解決手段】車両を搭載可能な複数の底板を有し、格納物取出階を含む複数階層からなる立体格納庫であって、前記格納物取出階が１８０ｃｍ以上の格納可能高さを有し、格納可能高さが前記格納物取出階の格納高さより低い階を１又は複数有し、前記底板のうち少なくとも２以上の底板が昇降手段付き底板であり、前記昇降手段付き底板の１又は複数に、車両以外の物品を収納する物品収納手段を有する立体格納庫とする。【選択図】図１
2007327171.tif 000002
【特許請求の範囲】
【請求項１】
車両を搭載可能な複数の底板を有し、格納物取出階を含む複数階層からなる立体格納庫であって、前記格納物取出階が１８０ｃｍ以上の格納可能高さを有し、格納可能高さが前記格納物取出階の格納高さより低い階を１又は複数有し、前記底板のうち少なくとも２以上の底板が昇降手段付き底板であり、前記昇降手段付き底板の１又は複数に、車両以外の物品を収納する物品収納手段を有することを特徴とする立体格納庫。
【請求項２】
前記底板が各階に複数列あり、前記格納物取出階に横行手段付き底板を１又は複数有することを特徴とする請求項１に記載の立体格納庫。
【請求項３】
前記底板が、中央の長手方向に凸部を有し、前記凸部を挟んで２本の平行した溝部を有し、前記物品収納手段として、前記溝部に向かい合わせで嵌め込んだ複数の収納ボックスを含み、前記凸部が歩行者用通路であることを特徴とする請求項１又は２に記載の立体格納庫。
【請求項４】
前記物品収納手段が、さらに前記凸部の上に収納される移動手段付き収納ボックスを含むことを特徴とする請求項１〜３のいずれかに記載の立体格納庫。
【請求項５】
前記物品収納手段が、複数の収納ボックス、前記底板に対し水平に設けられた円環レール、該円環レールへの収納ボックス取り付け手段、前記複数の収納ボックスを前記円環レールに沿って順次回転移動させる手段を含み、前記底板の正面側に任意の収納ボックスを呼び出すことができることを特徴とする請求項１又は２に記載の立体格納庫。
【請求項６】
前記物品収納手段が、移動手段及び連結手段を有する台車の上に、人が通れる幅を空けて向かい合わせで収納ボックスを取り付けた移動式物品収納ユニットを含むことを特徴とする請求項１又は２に記載の立体格納庫。
【請求項７】
請求項３記載の立体格納庫の使用方法であって、前記物品収納手段を有する底板を前記格納物取出階まで搬送させ、該底板の前記凸部において前記収納ボックスから物品を取り出し可能な状態にすることを特徴とする立体格納庫の使用方法。
【請求項８】
請求項５記載の立体格納庫の使用方法であって、前記物品収納手段を有する底板を前記格納物取出階まで搬送させ、次に、前記円環レールに沿って前記複数の収納ボックスを移動させ、前記底板の正面側に任意の収納ボックスを呼び出し、該底板上において前記収納ボックスから物品を取り出し可能な状態にすることを特徴とする立体格納庫の使用方法。
【発明の詳細な説明】
【技術分野】
【０００１】
本発明は、立体格納庫及びその使用方法に関する。特に、昇降可能な底板を複数有する立体格納庫及びその使用方法に関する。
【背景技術】
【０００２】
立体格納庫の１つとして、立体駐車場がある。従来、平面駐車場よりも立体駐車場が好まれる傾向にあり、特に都市部においては地価が高いためこの傾向は顕著である。一方、マンション等においてトランクルームが不足してきている。トランクルームの収納ボックスは、一般に平面上に並べて固定されたものが多く、上方向に積み上げて空中権の利用を図ったものもある。そのような収納ボックスの利用には、階段等を用いて利用者自らが収納ボックスの固定された場所へ行く必要があった。
【０００３】
この問題を解決するものとして、多目的駐車装置がある（例えば、特許文献１参照。）。
【特許文献１】特開２００１−３２５５６号公報（図１）
【発明の開示】
【発明が解決しようとする課題】
【０００４】
しかし、上記のような従来の多目的駐車装置では、収納ボックス内の物を取り出すピッキングルームが必要である、利便性に欠ける等の問題がある。
【０００５】
立体駐車場では、入れられる車の高さに制限がある。近年、ファミリー向けにもワゴンタイプ等、車高の高い車が増加してきた。しかし、立体駐車場の多くは、スペース節約のために、車出入口のある階以外、天井までの高さが低く作られている。そのため、車高の高い車を入庫できる箇所が１階のみとなってしまう。すなわち、多くの車を格納できるように建設した立体駐車場であるにもかかわらず、ファミリー向けの車に車高の低い車の率が少なくなった昨今においては、空きスペース、すなわち利用価値のないデッドスペースが多くできてしまうという問題が生じている。
【０００６】
したがって、本発明の目的は、上記した課題を解決し、利用価値のなかったデッドスペースを有効に使うことができ、かつ利便性に富むことを可能とする立体格納庫及びその使用方法を提供することにある。
【課題を解決するための手段】
【０００７】
本発明の第１の態様は、上記目的を達成するため、車両を搭載可能な複数の底板を有し、格納物取出階を含む複数階層からなる立体格納庫であって、前記格納物取出階が１８０ｃｍ以上の格納可能高さを有し、格納可能高さが前記格納物取出階の格納高さより低い階を１又は複数有し、前記底板のうち少なくとも２以上の底板が昇降手段付き底板であり、前記昇降手段付き底板の１又は複数に、車両以外の物品を収納する物品収納手段を有することを特徴とする立体格納庫を提供する。
【０００８】
本発明において、物品収納手段には、収納スペースを含む。ここで、「収納スペース」とは、収納棚や収納ケースや収納ボックス、収納箱、収納庫、収納タンス、トランクボックス、トランクルームその他の物品収納手段を総称していう。
【０００９】
前記底板が各階に複数列あり、前記格納物取出階に横行手段付き底板を１又は複数有することが好ましい。
【００１０】
前記底板が、中央の長手方向に凸部を有し、前記凸部を挟んで２本の平行した溝部を有し、前記物品収納手段として、前記溝部に向かい合わせで嵌め込んだ複数の収納ボックスを含み、前記凸部が歩行者用通路であるものとしてもよい。また、前記物品収納手段が、さらに前記凸部の上に収納される移動手段付き収納ボックスを含むものとしてもよい。また、前記物品収納手段が、複数の収納ボックス、前記底板に対し水平に設けられた円環レール、該円環レールへの収納ボックス取り付け手段、前記複数の収納ボックスを前記円環レールに沿って順次回転移動させる手段を含み、前記底板の正面側に任意の収納ボックスを呼び出すことができるものとしてもよい。前記物品収納手段が、移動手段及び連結手段を有する台車の上に、人が通れる幅を空けて向かい合わせで収納ボックスを取り付けた移動式物品収納ユニットを含むことが好ましい。
【００１１】
本発明の第２の態様は、上記目的を達成するため、車両を搭載可能な複数の底板を有し、格納物取出階を含む複数階層からなる立体格納庫であって、前記格納物取出階が１８０ｃｍ以上の格納可能高さを有し、格納可能高さが前記格納物取出階の格納高さより低い階を１又は複数有し、前記底板のうち少なくとも２以上の底板が昇降手段付き底板であり、前記昇降手段付き底板の１又は複数に、車両以外の物品を収納する物品収納手段を有し、かつ前記底板が、中央の長手方向に凸部を有し、前記凸部を挟んで２本の平行した溝部を有し、前記物品収納手段として、前記溝部に向かい合わせで嵌め込んだ複数の収納ボックスを含み、前記凸部が歩行者用通路である立体格納庫の使用方法であって、前記物品収納手段を有する底板を前記格納物取出階まで搬送させ、該底板の前記凸部において前記収納ボックスから物品を取り出し可能な状態にすることを特徴とする立体格納庫の使用方法を提供する。
【００１２】
本発明の第３の態様は、上記目的を達成するため、車両を搭載可能な複数の底板を有し、格納物取出階を含む複数階層からなる立体格納庫であって、前記格納物取出階が１８０ｃｍ以上の格納可能高さを有し、格納可能高さが前記格納物取出階の格納高さより低い階を１又は複数有し、前記底板のうち少なくとも２以上の底板が昇降手段付き底板であり、前記昇降手段付き底板の１又は複数に、車両以外の物品を収納する物品収納手段を有し、かつ前記物品収納手段が、複数の収納ボックス、前記底板に対し水平に設けられた円環レール、該円環レールへの収納ボックス取り付け手段、前記複数の収納ボックスを前記円環レールに沿って順次回転移動させる手段を含む立体格納庫の使用方法であって、前記物品収納手段を有する底板を前記格納物取出階まで搬送させ、次に、前記円環レールに沿って前記複数の収納ボックスを移動させ、前記底板の正面側に任意の収納ボックスを呼び出し、該底板上において前記収納ボックスから物品を取り出し可能な状態にするものとしてもよい。
【発明の効果】
【００１３】
本発明によれば、利用価値のなかったデッドスペースを有効に使うことができ、かつ利便性に富むことを可能とする。
【発明を実施するための最良の形態】
【００１４】
以下に、添付した図面を参照しながら、本発明の好適な実施の形態について詳細に説明する。なお、本明細書及び図面において、実質的に同一の機能構成を有する発明特定事項については、同一の符号を付することにより重複説明を省略する。
【００１５】
［第１の実施の形態］
（構成）
図１は、本発明の第１の実施の形態に係る立体格納庫の構成図である。本実施形態に係る立体格納庫１は、昇降又は横行可能な底板を複数行及び複数段有する。本実施形態においては、地上１階部５、地上２階部６及び地下１階部７からなる立体式の格納庫である。昇降又は横行が可能な底板２が、底板を移動するためのスペースを一つ空けて各階に連結して並べて設置してある。図１においては、地上２階部６に底板２ａ、２ｂが、地上１階部５に底板２ｃ、２ｄ、２ｅが、地下１階部７に底板２ｆ、２ｇ、２ｈが設置されている。ここで、底板２ａ、２ｂ、２ｅ、２ｆ、２ｇ、２ｈは昇降手段たる昇降駆動機構を有しており昇降のみ可能で、底板２ｃ、２ｄは横行駆動機構を有しており、横行のみ可能である。各底板２は、これらの機構を用いて地上１階部に搬送されることができる。底板２は、車両３を格納するのに十分な幅及び奥行き、耐荷重を持つ。１又は複数の底板２には、収納スペース８が設置されている。図１においては、収納スペース８は、前面にスライド扉の付いた箱型の鉄製収納ボックスで、１つの底板２に複数個設置されている。
【００１６】
図２は、本発明の第１の実施の形態に係る立体格納庫の要部拡大図である。図２は、収納スペース８が設置された底板２を示す。底板２は、左右両端に、正面から奥行方向へ、すなわち長手方向にライン状に底板端部１０が設けられ、底板端部１０と平行して底板２の中央部分にライン状に設けられた底板中央凸部１２を挟んで底板溝部１１が設けられている。設置する収納スペースの数は１つでもよい。図２において、収納スペース８は４個設置されている。収納スペース８は、取出口となるスライド扉のある前面を底板中央凸部１２側に向けて、向かい合わせで底板溝部１１に嵌め込んで金具等で固定される。収納スペース８は、スライド扉のある前面を正面としたとき、奥行が６０ｃｍ、幅が２５０ｃｍ、高さが１５０ｃｍである。底板溝部１１の幅は収納スペース８の奥行と同じで、収納スペース８は、底板溝部１１にぴったりはめ込むことができ安定が良い。底板中央凸部１２は、歩行者通路となり、人が通行することができ、また、収納スペース８から物の出し入れをすることができる。
【００１７】
本実施形態の立体格納庫においては、格納物取出階である地上１階部５の格納空間の高さは１８０ｃｍ以上であり、その他の階の格納空間の高さは、１８０ｃｍ未満である。図１においては、地上１階部５の格納空間の高さは１８５ｃｍ、地上２階部６及び地下１階部７の高さは１５５ｃｍである。車両３の出入口は、地上１階部５となる。したがって、図１の状況において、底板２ｃ、２ｄ、２ｅには、人や車両が自由に出入りできる。したがって、例えば、底板２ｄに搭載された車両３はそのまま取り出すことができ、底板２ｃに搭載された収納スペース８からは、人が物品を取り出すことができる。
【００１８】
地上１階部５は人が出入りするために格納空間の高さが高く、ワゴンタイプの車両でも格納できるが、地上２階部６及び地下１階部７の高さは、地上１階部５の高さより低く、１５０ｃｍ程度までの車高の車両しか格納できない。
【００１９】
図１においては、底板２ａ、２ｄ、２ｈに車両３が格納され、底板２ｂ、２ｃ、２ｆ、２ｇには収納スペースが固定してある。
【００２０】
底板２ｃ、２ｄは、ワゴン車でも格納できる高さがあるが、底板２ａ、２ｂ、２ｅ、２ｆ、２ｇ、２ｈは、高さの低い地上２階部６又は地下１階部７に移動することがあるので車高の高いワゴン車は格納できない。
【００２１】
各底板２は、昇降駆動機構により昇降し、横行駆動機構により左右に移動させる。ここで、昇降とは、上下に垂直に移動することであり、横行とは、左右に水平に移動することである。昇降駆動機構は、チェーン式で、モータ、モータの中心軸延長上に取り付けたモータ用歯車、駆動シャフト、底板２の各隅に接続された四本のパレット吊りチェーン、駆動シャフトの両端に固定されたパレット吊りチェーン回転用の固定歯車４個及び駆動シャフト回転用の固定歯車、モータ用歯車と駆動シャフト回転用の固定歯車に架けられた駆動用チェーン、駆動シャフトの両端に設けた軸受けを有する。パレット吊りチェーン回転用の固定歯車にはパレット吊りチェーンがそれぞれ架けられている。一方、横行駆動機構は、チェーン式で、底板２の左右どちらかに設けられたモータ、モータの中心軸延長上に取り付けたモータ用歯車、駆動シャフト、駆動シャフトに固定された駆動シャフト回転用の固定歯車、駆動シャフトの両端に固定された駆動側横行ローラ及び軸受けを有する。モータが設けられていない側にも従動側横行ローラが設けられている。すなわち、横行ローラは、底板２の四隅に設けられている。本実施形態においては、底板２の前側と後ろ側の各両端に、左右方向へローラが回転するように取り付けてある。横行ローラが回転することにより左右に底板が移動するようにローラの下にはレールが配置されている。モータは１００〜２００Ｖの電力で駆動する。チェーンの代わりにワイヤを用いてもよく、油圧シリンダー等により底板を移動してもよい。
【００２２】
昇降駆動機構では、モータを回転させることにより、モータ用歯車が回転し、モータ用歯車と駆動シャフト回転用の固定歯車に架けられた駆動チェーンに動力が伝達され、モータの回転により、駆動シャフト回転用の固定歯車が固定されている駆動シャフトが回転する。駆動シャフトの回転方向により、パレット吊りチェーンに接続された底板２が上下に動く。
【００２３】
横行駆動機構では、モータを回転させることにより、モータ用歯車が回転し、モータ用歯車と駆動シャフト回転用の固定歯車に架けられた駆動チェーンに動力が伝達され、モータの回転により、駆動シャフト回転用の固定歯車が固定されている駆動シャフトが回転し、かかる回転に伴い、駆動シャフトに固定された駆動側横行ローラが回転し、駆動側横行ローラが取り付けてある底板２が、駆動側横行ローラの回転方向へ移動し始める。これに伴い底板２の反対側に取り付けてある従動側横行ローラが同じ方向へ回転し、移動をスムーズにする。
【００２４】
（動作例）
次に、第１の実施の形態の立体格納庫１の動作例を説明する。
【００２５】
図３は、本発明の第１の実施の形態に係る立体格納庫の底板の動作説明図である。図３（ａ）は３番の底板を地上２階部から地上１階部へ降ろした状態であって、図１の状態と同じである。３番の底板２ｅ、４番の底板２ｃ、５番の底板２ｄは、地上１階部５にあって、車両３の出し入れや収納スペース８の中へ物を出し入れすることができる。ここで、２番の底板２ｂを１階部分へ呼び出してその収納スペース８の中の物を出し入れする場合、まずは、図３（ｂ）に示したように、３番の底板２ｅが、昇降機構により吊り上げられて空いている地上２階部６へ戻る。次に、５番の底板２ｄが、横行機構によりレールに沿って空いている横方向（紙面に向かって右方向）に移動する。さらに、２番の底板２ｂが昇降機構により地上１階部５に降ろされる。人は、２番の底板２ｂの底板中央凸部１２を通って格納された収納スペース８の前まで行くことができる。図４は、本発明の第１の実施の形態に係る立体格納庫の収納スペースの使用説明図である。人は底板中央凸部１２に乗ったまま自在に収納スペース８の物を出し入れすることができる。
【００２６】
（第１の実施の形態の効果）
この第１の実施の形態によれば、（イ）利用価値のなかったデッドスペースを有効に使うことができ、かつ利便性に富むことを可能とする。また、以下の（ロ）〜（ヨ）の効果を有する。
【００２７】
例えば、マンションに隣接して設置すると、他の場所にトランクルームを借りなくても、上記立体格納庫の収納スペースに物を保管することができるので、ユーザーにとって（ロ）利便性に富み、また、（ハ）経済的にも有効である。固定式のトランクルームと異なり、（ニ）自らトランクルームのある場所まで行く必要がなく、また積み上げ式トランクルームやビルタイプのトランクルームと異なり、（ホ）階段その他を用いて重い荷物を運ぶ必要がない。
【００２８】
また、施工者側にとっても、（へ）あらたにトランクルームを設置する必要がなくコスト削減に有効である。さらに、（ト）全ての階をワゴン車に対応する高さにする必要がなくコスト削減に有効である。また、デッドスペースがなくなるため（チ）土地の有効活用ができる。固定式の積み上げ式トランクルームやビルタイプのトランクルームと異なり、（リ）人間用昇降設備が不要である。
【００２９】
さらに、本実施形態では、収納スペースが底板に向かい合わせで２列並べてあり、間に通路があるので、（ヌ）通行や物の出し入れがしやすく、利便性に富む。また、底板溝部に収納スペースが固定されているので、（ル）安定性に富む。立体格納庫内の１階だけで作業ができるため、（ヲ）余分な作業スペースを別に設置する必要がなくコスト削減に有効である。また、立体格納庫のすぐ前が道路等であっても、道路に出て作業する必要がないので、（ワ）安全である。さらに、１階部分は十分な高さがあるので作業時に体を折り曲げる必要がなく、（カ）ユーザーフレンドリーである。一方、（ヨ）限界寸法まで有効に利用できて経済的である。
【００３０】
なお、本実施形態においては、横に３枚の底板を並べたタイプで説明したが、立体格納庫の大きさにより、横に並べる底板の枚数は、１枚でも５枚でもよく、制限はない。
【００３１】
また、本実施形態においては、底板の形状は、端部が盛り上がっていて、全体にフラットな底に２本の溝部があるタイプで説明したが、溝部がないものでもよい。また、奥行方向に傾斜があるタイプ、左右が屋根型に傾斜したタイプ、これらを組み合わせたタイプであってもよい。傾斜があるタイプでは、傾斜部分に鉄板等を敷いて水平にしてから収納スペースを置くことが望ましい。
【００３２】
［第２の実施の形態］
図５は、第２の実施の形態に係る立体格納庫の要部拡大図である。図５は、収納スペース８が設置された底板２を示す。底板２は、上記した第１の実施の形態と同様に、左右両端に正面から奥行方向へ底板端部１０が設けられ、底板端部１０と平行して底板２の中央部分に設けられた底板中央凸部１２を挟んで底板溝部１１が設けられている。本実施形態においては、一方の底板溝部１１に鉄板１９を敷いて底板中央凸部１２との段差をなくしてある。収納スペース８は底板１枚に対し１個設置されている。収納スペース８は、箱型の鉄製収納ボックスで、取出口となる前面には扉はなく、開口である。収納スペース８は、鉄板を敷いたほうの底板溝部１１のほうに設置し、底板２とは鉄板を介して金具等で固定される。収納スペース８は、取出口となる前面を正面としたとき、奥行が１２０ｃｍ、幅が５００ｃｍ、高さが１５０ｃｍである。一方の底板溝部１１の幅と底板中央凸部１２の幅を加えた長さは収納スペースの奥行と同程度であり、もう一方の底板溝部１１が歩行者通路となり、人が通行することができ、また、収納スペース８から物の出し入れをすることができる。上記以外の構成及び全体の動作については、上記した第１の実施の形態と同様である。
【００３３】
図６は、第２の実施の形態に係る立体格納庫の使用例である。図６においては、自転車９を歩行者通路である底板溝部１１に格納している。本実施形態においては、収納スペースの開口部が広いので、歩行者通路である底板溝部１１にバイクや自転車を格納しても収納スペースから物を取り出すことができる。
【００３４】
（第２の実施の形態の効果）
この第２の実施の形態によれば、上記した第１の実施の形態の効果に挙げた、（イ）〜（リ）、（ヲ）〜（ヨ）の効果を有し、本実施形態においては、さらに、収納スペース前に通路があるので、（タ）通行や物の出し入れがしやすく、利便性に富む。また、（レ）収納スペースの大型化による収納能力の拡大、（ソ）自転車やバイクも一緒に格納できる利便性及び経済性の高さという効果がある。
【００３５】
［第３の実施の形態］
図７は、第３の実施の形態に係る立体格納庫の要部拡大図である。図７は、収納スペース８が設置された底板２を示す。底板２は、上記した第１の実施の形態と同様である。収納スペース８は底板１枚に対し６個設置されている。本実施形態においては、収納スペース８は、前面にスライド扉の付いた箱型の鉄製収納ボックスである。底板溝部１１に設置した４個の収納スペース８は上記した第１の実施の形態と同様に、取出口となるスライド扉のある前面を底板中央凸部１２側に向けて、向かい合わせで底板溝部１１に金具等で固定される。底板溝部１１の幅は収納スペース８の奥行と同じで、底板溝部１１に固定した収納スペース８は、底板溝部１１にぴったりはめ込むことができ安定が良い。残りの２個の収納スペース８は底板中央凸部１２に移動可能に設置する。底板中央凸部１２の幅は、収納スペース８の奥行きと同じである。底板中央凸部１２に置く２個の収納スペース８は連結されて底部にキャスター１３がついている。図７においては、キャスター１３は、６個ついている。６個の収納スペース８は、スライド扉のある前面を正面としたとき、奥行が６０ｃｍ、幅が２５０ｃｍ、高さが１５０ｃｍである。したがって、地上１階部以外でも天井につかえることはない。底板中央凸部１２に置く２個の収納スペース８を引き出せば、底板中央凸部１２は、歩行者通路となり、人が通行することができ、また、収納スペース８から物の出し入れをすることができる。上記以外の構成及び全体の動作については、上記した第１の実施の形態と同様である。
【００３６】
（第３の実施の形態の効果）
この第３の実施の形態によれば、上記した第１の実施の形態の効果に挙げた、（イ）〜〜（ヨ）の効果を有し、本実施形態においては、さらに、（ツ）収納スペースの増加による収納能力の拡大という効果がある。
【００３７】
［第４の実施の形態］
図８は、第４の実施の形態に係る立体格納庫の要部拡大図である。図８は、収納スペース８が設置された底板２を示す。底板２は、上記した第１の実施の形態と同様に、左右両端に正面から奥行方向へ底板端部１０が設けられ、底板端部１０と平行して底板２の中央部分に設けられた底板中央凸部１２を挟んで底板溝部１１が設けられている。
【００３８】
本実施形態においては、両方の底板溝部１１に鉄板１９を敷いて底板中央凸部１２との段差をなくしてある。平らな底板では鉄板を敷かなくてもよい。さらに、鉄板１９の上に支柱２０を固定して取り付けてある。支柱２０は、底板２の中央部分に設けてある。支柱２０の頭頂部には天板２４が固定して取り付けてある。天板２４はほぼ楕円形の板で、天板２４の縁には収納ボックス回転用の円環レール２１をめぐらして取り付けてある。円環レール２１は、カーテンレールのように下向きに凹型である。円環レール２１の下には収納スペース８の取り付け器具が円環レール２１内を可動に設置してある。取り付け器具には、例えばフック等を用いる。
【００３９】
また、本実施形態においては、収納スペース８は、前面にスライド扉の付いた箱型の鉄製収納ボックスである。収納スペース８は、スライド扉のある前面を正面としたとき、奥行が４５ｃｍ、幅が１００ｃｍ、高さが１５０ｃｍである。収納スペース８は底板１枚に対し８個設置されている。収納スペース８は、それぞれ、円環レール２１に取り付け器具を介して懸架される。収納スペース８は懸架された状態で鉄板１９の上に載っていて、収納スペース８を側面から押すと、円環レール２１に沿って水平方向に回転する。収納スペース８は、取出口となるスライド扉のある前面を回転外側に向けて、背中合わせで円環レール２１に沿って回転可能に底板２の上の鉄板１９に設置される。
【００４０】
底板２の前方には作業スペース２２が設けられている。作業スペース２２の側面には壁面があり、底板前方側には安全鎖２３が設けられている。
【００４１】
収納スペース８から物を出し入れする場合、物を出し入れする収納スペース８が作業スペース２２正面に来るように、円環レール２１に沿って収納スペース８を動かす。作業スペース２２内で収納スペース８から物の出し入れをすることができる。安全鎖２３を作業スペース２２に張っておくことによって、回転時に子供等が巻き込まれないようにしてあるので安全である。また、作業スペース２２で物を出し入れするため動線が交差せず、安全である。上記以外の構成及び全体の動作については、上記した第１の実施の形態と同様である。
【００４２】
（第４の実施の形態の効果）
この第４の実施の形態によれば、上記した第１の実施の形態の効果に挙げた、（イ）〜〜（リ）、（ヲ）〜（ヨ）の効果を有し、本実施形態においては、さらに、前面に収納スペースを移動させて作業ができるので（ネ）利便性が一層高く、また（ナ）安全性を確保できるという効果がある。
【００４３】
なお、本実施形態においては収納スペース８を人力で回転移動させたが、各収納スペース８にセンサーを設けて回転制御機構を設けて自動で収納スペース８を円環レール２１に沿って回転移動させる構成としてもよい。かかる構成によれば、利便性がより一層増す。
【００４４】
なお、本実施形態においては、円環レール２１は収納スペース８の上にあったが、底部に設けてもよい。
【００４５】
［第５の実施の形態］
図９は、第５の実施の形態に係る立体格納庫の要部拡大図である。図９は、収納スペース８が設置された台車４を示す。収納スペース８は、台車４によって、底板２の上に移動させて固定することができる移動式物品収納ユニットである。収納スペース８は、前面にスライド扉の付いた箱型の鉄製収納ボックスで、１つの台車４に、長手方向に歩行者用通路となるスペースを挟んで向かい合わせで２個設置されている。収納ボックスの形状及び大きさは上記した第１の実施の形態の収納ボックスと同じである。台車４の幅は底板２の上に搭載できる幅にしてある。台車４を固定する底板２は、上記した第１の実施の形態と同様である。
【００４６】
台車４には移動手段として底部にキャスター１３が四隅に固定してある。また、連結手段として、凸型継手１６と、凸型継手１６を嵌め込んでねじ等で固定することにより２台の台車４を連結できる凹型継手１７を設けてある。凸型継手１６は台車４の長手方向前部に設けてあり、凹型継手１７は台車４の長手方向後部に設けてある。台車４は底板２上の所定位置まで移動させた後、底板２に固定する。台車４には、固定手段として底部に固定具１５を有する。底板１枚に対し、台車２台を連結して搭載することができる。底板２の前方に位置する台車４には、歩行者が台車４に乗るためのスロープ１４が設けてある。スロープ１４は、凹型継手１７に嵌めこんでねじ等で固定する。
【００４７】
上記以外の構成及び全体の動作については、上記した第１の実施の形態と同様である。
【００４８】
（第５の実施の形態の効果）
この第５の実施の形態によれば、上記した第１の実施の形態の効果に挙げた、（イ）〜（ヨ）の効果を有し、本実施形態においては、さらに、車両を格納する底板の数の増減に伴い、フレキシブルに車両以外の物品を格納する底板の数を増減できるので、（ラ）利便性が一層向上するという効果がある。
【００４９】
［他の実施の形態］
なお、本発明は、上記各実施の形態に限定されず、その発明の趣旨を逸脱しない範囲で種々な変形実施が可能である。また、上記各実施の形態の構成要素を発明の趣旨を逸脱しない範囲で任意に組み合わせることができる。
【００５０】
例えば、上記実施の形態では、地上２階地下１階の立体格納庫として説明したが、複数階層であれば、地上の階数、地下の階数ともに制限はなく、一定のフロア部分に出入口のあるものであれば、タワー式、地下格納式でもよい。
【００５１】
上記実施の形態においては、複数列の底板を有する立体格納庫で、底板の移動方向として昇降のみ行う底板と横行のみ行う底板とを有する立体格納庫として説明したが、複数列の底板を有する立体格納庫では、昇降及び横行の両方を行う底板が一部に含まれていてもよい。また、１列の底板を複数階層有する立体格納庫でもよく、その場合は、底板の全部が横行を行わないものでもよい。
【００５２】
また、上記第１〜第５の実施の形態の底板を１又は複数組み合わせて用いてもよい。
【図面の簡単な説明】
【００５３】
【図１】第１の実施の形態に係る立体格納庫の構成図である。
【図２】第１の実施の形態に係る立体格納庫の要部拡大図である。
【図３】第１の実施の形態に係る立体格納庫の底板の動作説明図である。
【図４】第１の実施の形態に係る立体格納庫の収納スペースの使用説明図である。
【図５】第２の実施の形態に係る立体格納庫の要部拡大図である。
【図６】第２の実施の形態に係る立体格納庫の使用例である。
【図７】第３の実施の形態に係る立体格納庫の要部拡大図である。
【図８】第４の実施の形態に係る立体格納庫の要部拡大図である。
【図９】第５の実施の形態に係る立体格納庫の要部拡大図である。
【符号の説明】
【００５４】
１  立体格納庫
２  底板
３  車両
４  台車
５  地上１階部
６  地上２階部
７  地下１階部
８  収納スペース
９  自転車
１０  底板端部
１１  底板溝部
１２  底板中央凸部
１３  キャスター
１４  スロープ
１５  固定具
１６  凸型継手
１７  凹型継手
１９  鉄板
２０  支柱
２１  円環レール
２２  作業スペース
２３  安全鎖
２４  天板
【図１】
2007327171.tif 000003
【図２】
2007327171.tif 000004
【図３】
2007327171.tif 000005
【図４】
2007327171.tif 000006
【図５】
2007327171.tif 000007
【図６】
2007327171.tif 000008
【図７】
2007327171.tif 000009
【図９】
2007327171.tif 000010
【図８】
2007327171.tif 000011
【手続補正書】
【提出日】平成18年8月22日(2006.8.22)
【手続補正１】
【補正対象書類名】特許請求の範囲
【補正対象項目名】全文
【補正方法】変更
【補正の内容】
【特許請求の範囲】
【請求項１】
車両を搭載可能な複数の底板を有し、格納物取出階を含む複数階層からなる立体格納庫であって、前記格納物取出階が１８０ｃｍ以上の格納可能高さを有し、格納可能高さが前記格納物取出階の格納高さより低い階を１又は複数有し、前記底板のうち少なくとも２以上の底板が昇降手段付き底板であり、前記昇降手段付き底板の１又は複数に、車両以外の物品を収納する物品収納手段を有し、前記底板が、中央の長手方向に凸部を有し、前記凸部を挟んで２本の平行した溝部を有し、前記物品収納手段として、前記溝部に向かい合わせで嵌め込んだ複数の収納ボックスを含み、前記凸部が歩行者用通路であることを特徴とする立体格納庫。
【請求項２】
前記物品収納手段が、さらに前記凸部の上に収納される移動手段付き収納ボックスを含むことを特徴とする請求項１に記載の立体格納庫。
【請求項３】
車両を搭載可能な複数の底板を有し、格納物取出階を含む複数階層からなる立体格納庫であって、前記格納物取出階が１８０ｃｍ以上の格納可能高さを有し、格納可能高さが前記格納物取出階の格納高さより低い階を１又は複数有し、前記底板のうち少なくとも２以上の底板が昇降手段付き底板であり、前記昇降手段付き底板の１又は複数に、車両以外の物品を収納する物品収納手段を有し、前記物品収納手段が、複数の収納ボックス、前記底板に対し水平に設けられた円環レール、該円環レールへの収納ボックス取り付け手段、前記複数の収納ボックスを前記円環レールに沿って順次回転移動させる手段を含み、前記底板の正面側に任意の収納ボックスを呼び出すことができることを特徴とする立体格納庫。
【請求項４】
車両を搭載可能な複数の底板を有し、格納物取出階を含む複数階層からなる立体格納庫であって、前記格納物取出階が１８０ｃｍ以上の格納可能高さを有し、格納可能高さが前記格納物取出階の格納高さより低い階を１又は複数有し、前記底板のうち少なくとも２以上の底板が昇降手段付き底板であり、前記昇降手段付き底板の１又は複数に、車両以外の物品を収納する物品収納手段を有し、前記物品収納手段が、移動手段及び連結手段を有する台車の上に、人が通れる幅を空けて向かい合わせで収納ボックスを取り付けた移動式物品収納ユニットを含むことを特徴とする立体格納庫。
【請求項５】
請求項１記載の立体格納庫の使用方法であって、前記物品収納手段を有する底板を前記格納物取出階まで搬送させ、該底板の前記凸部において前記収納ボックスから物品を取り出し可能な状態にすることを特徴とする立体格納庫の使用方法。
【請求項６】
請求項３記載の立体格納庫の使用方法であって、前記物品収納手段を有する底板を前記格納物取出階まで搬送させ、次に、前記円環レールに沿って前記複数の収納ボックスを移動させ、前記底板の正面側に任意の収納ボックスを呼び出し、該底板上において前記収納ボックスから物品を取り出し可能な状態にすることを特徴とする立体格納庫の使用方法。
【手続補正２】
【補正対象書類名】明細書
【補正対象項目名】０００７
【補正方法】変更
【補正の内容】
【０００７】
本発明の第１の態様は、上記目的を達成するため、車両を搭載可能な複数の底板を有し、格納物取出階を含む複数階層からなる立体格納庫であって、前記格納物取出階が１８０ｃｍ以上の格納可能高さを有し、格納可能高さが前記格納物取出階の格納高さより低い階を１又は複数有し、前記底板のうち少なくとも２以上の底板が昇降手段付き底板であり、前記昇降手段付き底板の１又は複数に、車両以外の物品を収納する物品収納手段を有し、前記底板が、中央の長手方向に凸部を有し、前記凸部を挟んで２本の平行した溝部を有し、前記物品収納手段として、前記溝部に向かい合わせで嵌め込んだ複数の収納ボックスを含み、前記凸部が歩行者用通路であることを特徴とする立体格納庫を提供する。
【手続補正３】
【補正対象書類名】明細書
【補正対象項目名】００１０
【補正方法】変更
【補正の内容】
【００１０】
前記物品収納手段が、さらに前記凸部の上に収納される移動手段付き収納ボックスを含むものとしてもよい。また、本発明の別の態様は、上記目的を達成するため、車両を搭載可能な複数の底板を有し、格納物取出階を含む複数階層からなる立体格納庫であって、前記格納物取出階が１８０ｃｍ以上の格納可能高さを有し、格納可能高さが前記格納物取出階の格納高さより低い階を１又は複数有し、前記底板のうち少なくとも２以上の底板が昇降手段付き底板であり、前記昇降手段付き底板の１又は複数に、車両以外の物品を収納する物品収納手段を有し、前記物品収納手段が、複数の収納ボックス、前記底板に対し水平に設けられた円環レール、該円環レールへの収納ボックス取り付け手段、前記複数の収納ボックスを前記円環レールに沿って順次回転移動させる手段を含み、前記底板の正面側に任意の収納ボックスを呼び出すことができることを特徴とする立体格納庫としてもよいし、車両を搭載可能な複数の底板を有し、格納物取出階を含む複数階層からなる立体格納庫であって、前記格納物取出階が１８０ｃｍ以上の格納可能高さを有し、格納可能高さが前記格納物取出階の格納高さより低い階を１又は複数有し、前記底板のうち少なくとも２以上の底板が昇降手段付き底板であり、前記昇降手段付き底板の１又は複数に、車両以外の物品を収納する物品収納手段を有し、前記物品収納手段が、移動手段及び連結手段を有する台車の上に、人が通れる幅を空けて向かい合わせで収納ボックスを取り付けた移動式物品収納ユニットを含むことを特徴とする立体格納庫としてもよい。